【手続補正書】
【提出日】平成20年2月22日(2008.2.22)
【手続補正１】
【補正対象書類名】明細書
【補正対象項目名】特許請求の範囲
【補正方法】変更
【補正の内容】
【特許請求の範囲】
【請求項１】 その各々がそれぞれ１つのピクセル読み出しスイッチ（１３２）を介してそれぞれ１つのデータ線（１３４）に接続されている複数の放射線センサ（１３０）を有するマトリックス・アドレス式イメージング・パネル（１１８）を含むイメージング・システム（１１０）を動作させる方法であって、 イメージング・エネルギー源（１２）からのイメージング・エネルギーを対象に印加するステップと、 照射監視データ線（１３４）からの少なくとも１つのデータ線照射信号を検知するステップであって、ピクセル読み出しスイッチを電気的に開放状態にした状態で少なくとも１つの放射線センサ（１３０）を前記照射監視データ線に容量性結合させている、ステップと、 前記少なくとも１つの照射監視データ線上の前記検知した照射信号と対応させてパネル照射信号を発生させるステップと、を含む方法。
【請求項２】 前記イメージング・エネルギー源（１１２）がＸ線を印加すると共に、前記放射線センサ（１３０）がフォトセンサと直接型半導体Ｘ線センサからなる群より選択され、かつ前記ピクセル・スイッチ（１３２）がダイオードと電界効果トランジスタからなる群より選択されている、請求項１に記載のイメージング・システムの動作方法。
【請求項３】 前記放射線センサの各々がフォトダイオード（１３０）を備えると共に、前記イメージング・パネルがさらに前記フォトダイオードのアレイと光学的に結合したシンチレータ（１１６）を備えている、請求項２に記載のイメージング・システムの動作方法。
【請求項４】
複数のピクセルを有するマトリックス・アドレス式イメージング・パネル（１１８）と、 少なくとも１つのそれぞれの放射線センサ（１３０）と、前記イメージング・パネル内で該ピクセル放射線センサをそれぞれのデータ線（１３４）に選択的に結合させるように配置させた少なくとも１つのそれぞれのピクセル読み出しスイッチ（１３２）とを備えている前記ピクセルのそれぞれと、 前記イメージング・パネル内で少なくとも１つの照射監視データ線（１３４、１４０）に結合させた照射制御装置（１２５）であって、前記照射監視データ線と容量性結合させた少なくとも１つの放射線センサからの容量性結合した照射信号を検知し、かつ前記照射監視データ線のためのそれぞれのピクセル読み出しスイッチが開放状態にある期間である照射制御期間中に検知した入射放射線に対応するパネル照射信号を発生させるように構成されている、照射制御装置（１２５）と、を備えるイメージング・システム（１１０）。
【請求項５】
シンチレータ（１１６）と結合させたフォトセンサ・ピクセル（１３０）のアレイを有するマトリックス・アドレス式イメージング・パネル（１１８）と、 線源制御装置（１３６）に結合されたＸ線源（１１２）であって、前記線源制御装置からの信号に応答して該線源と前記イメージング・パネルの間に配置した撮影対象（１１４）に対する曝射をするように配置されているＸ線源（１１２）と、 前記イメージング・パネル内において、その各々がそれぞれ１つのピクセル読み出しスイッチ（１３２）を介してそれぞれ１つのデータ線（１３４）に結合されている１つのフォトダイオード（１３０）を備えているそれぞれのフォトセンサ・ピクセルからの読み出しを制御するように構成されているイメージャ制御装置（１１５）であって、前記ピクセル読み出しスイッチは該イメージャ制御装置が発生させる信号に応答している、イメージャ制御装置（１１５）と、 前記データ線のうちの少なくとも１つに結合させた前記それぞれのピクセル読み出しスイッチが非導通状態となるように制御されているときに、前記少なくとも１つのデータ線からの容量性結合した照射信号を選択的に受け取るように前記イメージャ・パネルに結合させた照射制御装置（１２５）と、を備えるイメージング・システム（１１０）であって、 前記照射制御装置（１２５）は、前記線源制御装置（１２６）と結合されると共に、前記容量性結合した照射信号に対応させてパネル照射信号を発生させかつ前記線源制御装置に印加するための制御信号を発生させるように構成されている、イメージング・システム（１１０）。
【請求項６】 放射線センサのアレイ（３１８）を有するマトリックス・アドレス式イメージング・パネルと、前記放射線センサ（４０）の少なくとも１つに隣接して配置し少なくとも１つのそれぞれのＡＥＣ電極受信域（７５０）を形成させるようにした自動照射制御信号（ＡＥＣ）線（７００）とを含むマトリックス・アドレス式イメージング・システム（３００）に対する自動照射制御の方法であって、 イメージング・エネルギー源（３１２）からのイメージング・エネルギーを対象に印加するステップと、 前記それぞれのＡＥＣ電極受信域内の前記少なくとも１つのＡＥＣ電極に対する前記少なくとも１つの放射線センサの容量性結合の結果としてＡＥＣ電極上に出現するＡＥＣ電極（７００）上のＡＥＣ信号を検知するステップと、 ＡＥＣ電極上で検知された前記ＡＥＣ信号に基づいてイメージング・エネルギー照射レベルを決定するステップと、 前記エネルギー照射レベルに応答して印加されるイメージング・エネルギーを制御するステップと、を含む方法。
【請求項７】 その各々が対応する制御スイッチ（５０）を介して対応するデータ線（２０）に接続されている放射線センサ（４０）のアレイを有するマトリックス・アドレス式Ｘ線イメージング・パネル（３１２）を備えたイメージング・システム（３００）であって、前記データ線は順次配置されており、前記制御スイッチの各々は接続したスキャン線（１０）により対応するセンサからの信号を前記対応するデータ線に選択的に送るように動作可能に制御されており、前記データ線の各々は表示用の画像信号を提供するため読み出し増幅器（４００）に接続されており、該イメージング・システムはさらに、その各々がイメージング・エネルギー源（３１２）を制御するための照射制御装置（８５０）に接続されており、それぞれのＡＥＣ電極受信域（７５０）を形成するように前記フォトセンサのうちの少なくとも１つに隣接して配置されている少なくとも１つの自動照射制御（ＡＥＣ）電極（７００）を含んでいる、イメージング・システム（３００）のための自動照射制御の方法であって、 前記イメージング・エネルギー源からのイメージング・エネルギーを対象に印加するステップと、 放射線センサと前記それぞれのＡＥＣ受信域内のＡＥＣ電極との間の容量性結合の結果としてＡＥＣ電極上に出現するＡＥＣ電極上のＡＥＣ信号を検知するステップと、 ＡＥＣ電極上で検知された前記ＡＥＣ信号に基づいてイメージング・エネルギー照射レベルを決定するステップと、 前記エネルギー照射レベルに応答して印加されたイメージング・エネルギーを制御するステップと、を含む方法。
【請求項８】 マトリックス・アドレス式イメージング・パネル（３１８）に対する自動照射制御のための装置であって、 イメージング・エネルギーを対象（３１４）に印加する（３１３）ためのイメージング・エネルギー源（３１２）と、 マトリックス・アドレス式イメージング・パネルを形成している、前記イメージング・エネルギーに応答してイメージング信号を発生させるための放射線センサ（４０）からなるアレイと、 それぞれのＡＥＣ電極受信域（７００）を形成するように前記センサのうちの少なくとも１つに隣接して配置した少なくとも１つの自動照射制御（ＡＥＣ）電極（７００）であって、該少なくとも１つのＡＥＣ電極は、前記少なくとも１つのセンサと前記それぞれのＡＥＣ電極受信域内の該少なくとも１つのそれぞれのＡＥＣ電極との間の容量性結合の結果としてＡＥＣ電極上に出現するＡＥＣ信号をＡＥＣ増幅器に送るように結合させている、少なくとも１つの自動照射制御（ＡＥＣ）電極（７００）と、 前記少なくとも１つのＡＥＣ電極及び前記イメージング・エネルギー源に結合させており、前記ＡＥＣ信号を受け取りかつ前記ＡＥＣ信号に基づいてイメージング・エネルギー照射レベルを算出するように適応させたＡＥＣ照射制御装置（８３０）と、を備える自動照射制御装置。
【請求項９】 マトリックス・アドレス式イメージング・パネル（３１８）に対する自動照射制御のための装置であって、 前記パネルはさらに、フォトセンサ（４０）からなるアレイと、その各々が対応するセンサ（４０）を対応するデータ線（２０）に選択的に接続させている複数の制御スイッチ（５０）であって、該制御スイッチの各々は対応するセンサからの信号を関連するデータ線に選択的に送るようにスキャン線（１０）に接続されており、前記データ線の各々は画像信号を生成するために読み出し増幅器（４００）と結合されている複数の制御スイッチ（５０）と、少なくとも１つのＡＥＣ電極受信域（７５０）を形成するように選択したフォトセンサに隣接して配置されている少なくとも１つの自動照射制御（ＡＥＣ）電極（７００）と、前記ＡＥＣ電極と結合させたＡＥＣ制御装置と、を備えていること、 前記ＡＥＣ電極の各々は前記フォトセンサと前記ＡＥＣ電極の間の容量性結合の結果としてＡＥＣ電極上に出現するＡＥＣ信号を前記ＡＥＣ計算機に送るように結合されていること、を特徴とする自動照射制御装置。
【請求項１０】
その各々がそれぞれ１つの放射線センサを備えている横列と縦列の形に配列された複数のピクセルであって、それぞれのスキャン線（１０）に対応する前記横列の各々は各ピクセル内のそれぞれ１つの切換え用トランジスタ（５０）に結合しており、かつそれぞれのデータ線（２０）に対応する前記縦列の各々はピクセル切換え用トランジスタを介してピクセル放射線センサにそれぞれ結合している、複数のピクセルと、 その各々が照射制御装置（８３０）と結合されており、アレイ内においてその下にＡＥＣ電極（７００）を配置させているピクセルに対応している少なくとも１つの自動照射制御（ＡＥＣ）電極受信域（７５０）であって、該ＡＥＣ電極受信域内の前記ＡＥＣ電極と前記ピクセルのそれぞれの放射線センサの底部電極との間に容量性結合を提供するようにした少なくとも１つの自動照射制御（ＡＥＣ）電極受信域（７５０）と、 前記照射制御装置（８３０）に結合したデータ線（２０）に隣接したピクセルに対応している少なくとも１つのデータ線信号監視区域（７７０）であって、前記照射制御装置は前記データ線と容量性結合した信号を前記データ線に隣接して配置したそれぞれの放射線センサ電極からサンプリングして該データ線信号監視区域内のリアルタイムの放射線照射を表す信号を提供するようにした、少なくとも１つのデータ線信号監視区域（７７０）と、を備えるイメージング・アレイ（３１８）であって、 前記照射制御装置（８３０）は放射線源（３１２）による該イメージング・アレイの曝射を制御する信号を提供するように結合されている、イメージング・アレイ（３１８）。